【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
少なくとも１つの仮欠陥管理領域と、データ領域内に少なくとも１つのスペア領域を備えた光記録媒体を管理する方法において、
データ領域内から欠陥領域が検出される場合、欠陥領域に書き込まれたデータを代替データとしての前記少なくとも１つのスペア領域に代替書き込みするステップと、
前記スペア領域内に書き込まれたデータにアクセスするための欠陥管理情報を前記少なくとも１つの仮欠陥管理領域内に書き込むステップを含み、
前記スペア領域内に書き込まれたデータにアクセスするための前記欠陥管理情報は、少なくとも１つのナビゲーション・ポインタによって識別されることを特徴とする光記録媒体の管理方法。
【請求項２】
前記書き込むステップにおいて、前記欠陥管理情報は、少なくとも１つの仮欠陥管理領域内に欠陥リスト情報として書き込まれ、
前記欠陥リスト情報を管理するステップを更に含み、
前記欠陥リスト情報は、実際に代替書き込まれたデータに対応する欠陥エントリと連続して代替書き込みするために使用可能な次のスペア領域の書き込み位置情報とを含むナビゲーション・ポインタ情報を含むことを特徴とする請求項１に記載の方法。
【請求項３】
前記光記録媒体は、追記型ブルーレイディスク（ＢＤ−ＷＯ）であることを特徴とする請求項２に記載の方法。
【請求項４】
前記光記録媒体は、読み書き可能なブルーレイディスク（ＢＤ−ＲＷ）であることを特徴とする請求項２に記載の方法。
【請求項５】
前記欠陥リスト情報は、４クラスタより小さい記録サイズの仮欠陥リスト情報であることを特徴とする請求項２に記載の方法。
【請求項６】
前記記録サイズは、２クラスタ以下であることを特徴とする請求項５に記載の方法。
【請求項７】
前記欠陥リスト情報は、１クラスタの記録サイズを有し、代替データに対応する欠陥エントリを含むことを特徴とする請求項２に記載の方法。
【請求項８】
欠陥エントリの数が１クラスタの記録サイズを超える場合、前記書き込むべき欠陥リスト情報の記録サイズは、１クラスタの大きさより大きな記録サイズに変更されることを特徴とする請求項２に記載の方法。
【請求項９】
前記書き込むべき欠陥リスト情報の記録サイズは、１クラスタより大きく、４クラスタよりは小さいことを特徴とする請求項８に記載の方法。
【請求項１０】
前記光記録媒体は、インナー・スペア領域とアウター・スペア領域が割り当てられた追記型単層ブルーレイディスクであり、前記欠陥リスト情報は、代替データを連続して代替書き込み可能なインナー・スペア領域内の書き込み位置情報と、代替データを連続して代替書き込み可能なアウター・スペア領域内の書き込み位置情報を含むことを特徴とする請求項２に記載の方法。
【請求項１１】
前記光記録媒体は、インナー・スペア領域とアウター・スペア領域が第１の記録層と第２の記録層に割り当てられた追記型二層ブルーレイディスクであり、前記欠陥リスト情報は、代替データを連続して代替書き込みするため第１の記録層及び第２の記録層の使用可能なインナー・スペア領域内の書き込み位置情報と、代替データを連続して代替書き込みするための第１の記録層及び第２の記録層の使用可能なアウター・スペア領域内の書き込み位置情報を含むことを特徴とする請求項２に記載の光記録媒体の管理方法。
【請求項１２】
前記欠陥リスト情報は、１クラスタの記録サイズを有することを特徴とする請求項２に記載の方法。
【請求項１３】
欠陥エントリの増加により欠陥エントリが１クラスタ記録サイズを超える場合、欠陥管理のために前に書き込みされた欠陥リスト情報と新たに書き込まれる欠陥リスト情報とを異なるグループに設定することを特徴とする請求項１２に記載の方法。
【請求項１４】
前記欠陥管理情報は、前記異なるグループを識別する識別情報をディスク定義構造情報として更に含むことを特徴とする請求項１３に記載の方法。
【請求項１５】
少なくとも１つの仮欠陥管理領域と、データ領域内に少なくとも１つのスペア領域を備えた光記録媒体を管理する方法において、
データ領域内から欠陥領域が検出される場合、欠陥領域に書き込まれたデータを代替データとして前記少なくとも１つのスペア領域に代替書き込みするステップと、
前記少なくとも１つの仮欠陥管理領域内に前記スペア領域内に書き込まれたデータにアクセスするための欠陥リスト情報とディスク定義構造情報を生成し、前記欠陥リスト情報とディスク定義構造情報を管理するステップとを含み、
前記欠陥リスト情報は、実際に書き込まれた代替データに対応する欠陥エントリを含み、前記ディスク定義構造情報は、少なくとも１つのナビゲーション・ポインタとして代替書き込みのためのスペア領域内の次の使用可能なセクタの書き込み位置情報を含むことを特徴とする方法。
【請求項１６】
前記欠陥リスト情報は、欠陥エントリの書き込みの終了を表す欠陥リストターミネータを含むことを特徴とする請求項１５に記載の方法。
【請求項１７】
前記書き込み位置情報は、新たな代替データを連続して代替書き込み可能なスペア領域の第１のクラスタ内の第１のセクタに対応する書き込み位置情報であることを特徴とする請求項１５に記載の方法。
【請求項１８】
前記ディスク定義構造情報は、前記欠陥リスト情報の書き込み位置に対応する物理的セクタ番号情報を含むことを特徴とする請求項１５に記載の方法。
【請求項１９】
前記光記録媒体は、インナー・スペア領域とアウター・スペア領域が割り当てられた追記型単層ブルーレイディスクであり、前記ディスク定義構造情報は、代替データを連続して代替書き込み可能なインナー・スペア領域の第１のクラスタ内の第１のセクタに対応する書き込み位置情報と、代替データを連続して代替書き込み可能なアウター・スペア領域の第１のクラスタ内の第１のセクタに対応する書き込み位置情報を含むことを特徴とする請求項１５に記載の方法。
【請求項２０】
前記光記録媒体は、第１の記録層に第１のインナー・スペア領域と第１のアウター・スペア領域を割り当て、第２の記録層に第２のインナー・スペア領域と第２のアウター・スペア領域を割り当てた追記型二層ブルーレイディスクであり、前記ディスク定義構造情報は、代替データを連続して代替書き込み可能な第１の記録層及び第２の記録層の各インナー・スペア領域の第１のクラスタ内の第１の使用可能なセクタに対応する書き込み位置情報と、代替データを連続して代替書き込み可能な第１の記録層及び第２の記録層の各アウター・スペア領域の第１のクラスタ内の第１の使用可能なセクタに対応する書き込み位置情報を含むことを特徴とする請求項１５に記載の方法。
【請求項２１】
データ領域内の少なくとも１つのスペア領域と、
データ領域内の欠陥領域を管理するための仮欠陥管理領域と、
代替データを格納可能な前記少なくとも１つのスペア領域の一部であって、前記欠陥領域に書き込まれたデータを代替データとして代替書き込みする少なくとも１つのスペア領域の一部と、
前記少なくとも１つのスペア領域の一部に書き込まれたデータにアクセスするための前記少なくとも１つの仮欠陥管理領域内の欠陥管理情報であって、前記少なくとも１つのナビゲーション・ポインタによって識別される、前記スペア領域に書き込まれたデータにアクセスするための欠陥管理情報と
を含むことを特徴とする記録媒体。
【請求項２２】
インナー・スペア領域とアウター・スペア領域が割り当てられた追記型単層ブルーレイディスクであり、前記欠陥管理情報は、代替データを連続して代替書き込み可能なインナー・スペア領域内の書き込み位置情報と、代替データを連続して代替書き込み可能なアウター・スペア領域内の書き込み位置情報を含むことを特徴とする請求項２１に記載の記録媒体。
【請求項２３】
インナー・スペア領域とアウター・スペア領域が第１の記録層と第２の記録層に割り当てられた追記型二層ブルーレイディスクであり、前記欠陥管理情報は、代替データを連続して代替書き込みするための第１の記録層及び第２の記録層の使用可能なインナー・スペア領域内の書き込み位置情報と、代替データを連続して代替書き込みするための第１の記録層及び第２の記録層の使用可能なアウター・スペア領域内の書き込み位置情報を含むことを特徴とする請求項２１に記載の記録媒体。
【請求項２４】
前記欠陥管理情報は、少なくとも１つの仮欠陥管理領域内に欠陥リスト情報として書き込みされ、前記欠陥リスト情報は、実際に代替書き込みされたデータに対応する欠陥エントリと連続して代替書き込みするために使用可能な次のスペア領域の書き込み位置情報を含むナビゲーション・ポインタ情報を含むことを特徴とする請求項２１に記載の記録媒体。
【請求項２５】
データ領域内に少なくとも１つのスペア領域と、
データ領域内の欠陥領域を管理するための仮欠陥管理領域と、
代替データを格納可能な前記少なくとも１つのスペア領域の一部であって、前記欠陥領域に書き込まれたデータを代替データとして代替書き込みする少なくとも１つのスペア領域の一部と、
前記少なくとも１つのスペア領域の一部に書き込まれたデータにアクセスするための仮欠陥管理領域内の欠陥リスト情報とディスク定義構造情報とを含み、
前記欠陥リスト情報は、実際に書き込まれた代替データに対応する欠陥エントリを含み、前記ディスク定義構造情報は、少なくとも１つのナビゲーション・ポインタとしての代替書き込みのための前記少なくとも１つのスペア領域内の次の使用可能なセクタの書き込み位置情報を含むことを特徴とする記録媒体。
【請求項２６】
少なくとも１つの仮欠陥管理領域と、データ領域内に少なくとも１つのスペア領域を備えた光記録媒体を管理する装置において、
データ領域内から欠陥領域が検出される場合、欠陥領域に書き込まれたデータを代替データとしての前記少なくとも１つのスペア領域に代替書き込みする手段と、
前記スペア領域内に書き込まれたデータにアクセスするための欠陥管理情報を前記少なくとも１つの仮欠陥管理領域内に書き込む手段と、
を含み、
前記スペア領域内に書き込まれたデータにアクセスするための前記欠陥管理情報は、少なくとも１つのナビゲーション・ポインタによって識別されることを特徴とする装置。
【請求項２７】
前記欠陥管理情報は、前記欠陥管理情報を書き込みする手段によって少なくとも１つの仮欠陥管理領域内に欠陥リスト情報として書き込みされ、
前記欠陥リスト情報は、実際に代替書き込みされたデータに対応する欠陥エントリと連続して代替書き込みするために使用可能な次のスペア領域の書き込み位置情報を含むナビゲーション・ポインタ情報を含むことを特徴とする請求項２６に記載の装置。
【請求項２８】
少なくとも１つの仮欠陥管理領域と、データ領域内に少なくとも１つのスペア領域を備えた光記録媒体を管理する装置において、
データ領域内から欠陥領域が検出される場合、欠陥領域に書き込みされたデータを代替データとしての前記少なくとも１つのスペア領域に代替書き込みする手段と、
前記少なくとも１つの仮欠陥管理領域内に前記スペア領域内に書き込みされたデータにアクセスするための欠陥リスト情報とディスク定義構造情報を生成し、前記欠陥リスト情報とディスク定義構造情報を管理する手段とを含み、
前記欠陥リスト情報は、実際に書き込まれた代替データに対応する欠陥エントリを含み、前記ディスク定義構造情報は、少なくとも１つのナビゲーション・ポインタとしての前記代替書き込みのための少なくとも１つのスペア領域内の次の使用可能なセクタの書き込み位置情報を含むことを特徴とする装置。